(57)【要約】【課題】      調圧中を容易に目で判断出来るおもりとして、側面の４箇所にらせん状に穴をあけ、蒸気が通過することにより、おもりが回転するものがあり、非常に有効である反面、横に噴出して危険である。この危険防止をする。【解決手段】  耐熱プラスチック等で射出成形された筒状のもの（３）を従来のおもりの外周に取り付けることで、噴出し蒸気が横方向から、下向きに、ふたに噴きつける形に変わり、火傷等の危険が解消される。【選択図】    図１
0003125558.tif 000002
【実用新案登録請求の範囲】
【請求項１】
おもりの金属部分（２）と一定の隙間を持ちながら、（２）の全体を包み込み、且つ、一方が開放された筒状のもの（３）を設けた。
【請求項２】
この筒状のもの（３）は、筒の内側面が、おもりに固定される端から開放部に向かって、円錐状に広がった形状をしている。
【考案の詳細な説明】
【考案の詳細な説明】
【技術分野】
【０００１】本考案は、おもり式圧力なべの調圧装置のおもりに関するものである。
【背景技術】
【０００２】  従来、おもりは調圧装置の一部で、蒸気噴出しノズルの上に、ニードルを介して乗っており、ノズルの蒸気噴出し口から噴出された蒸気により、横揺れをしたり、回転しながら圧力なべの中の圧力を一定に保っている。がしかし、回転により鍋の中の圧力を一定にする方法は、高温の蒸気が勢いよく横向き全方向に噴出し、危険を伴うことがあるにも拘らず、現在は何の手立てもされていないのが実情である。
【考案が解決しようとする課題】
【０００３】  本来、圧力なべは、省エネルギーを目的に開発された調理器具で、なべの中の圧力が規定圧力になれば、加熱源を中火以下にするようになっているが、中には、つい忘れて強火のままで使用される場合もある。この場合、おもりの横穴から、ものすごい勢いで蒸気が噴出し、かなり危険である。がしかし、もっと危険な事は、中火、弱火であっても、おもりの近くに手などを近づけた状態で、なべを少しでも動かす等の衝撃を加えると、フラッシングと言って、高温に熱せられた内容物から、一度に多量の蒸気が発生し、おもりの横穴から勢いよく噴出し火傷をする恐れがあることである。
【０００４】  本考案は、従来のこのような問題点を解決し、安全な使用が出来るおもりを提案しようとするものである。
【課題を解決するための手段】
【０００５】射出成形又は棒状のものから、筒状のもの（３）（図２）を加工し、開放部と反対側に、おもりのつまみ部分（１）と、金属部分（２）に取り付け出来る形状部分を加工する。
【考案を実施するための最良の形態】
【０００６】  図２において、筒状のもの（３）は、例えば、耐熱プラスチックで金型で、射出成形により作成するか、棒状の耐熱プラスチックから切削加工によって作成し、開放部と反対側は、おもりのつまみ部分（１）とおもりの金属部分（２）に接合出来るよう加工を施す。【０００７】  加工成形された筒状のものは、図１にあるように、おもりのつまみ部分（１）と、おもりの金属部分（２）の間に、つまみ部分（１）に埋め込まれたニードル（４）のネジ部により固定される。【０００８】  しかも、この筒状のもの（３）は、ネジにより固定されているので、取り外す事も簡単である。
【考案の効果】
【０００９】  本考案は、上述の形状をして、おもりに取り付けられているので、次に記載する効果を奏する。
【００１０】  請求項１において、おもりの金属部分全体を覆っているので、噴出された蒸気は、水平方向に噴出さず、必ずおもりの下方に噴出し危険度は少ない。
【００１１】  請求項２において、開放部に向かって、裾広がりの形状を提供しているので、噴出された蒸気が下方に向かって流れる時、非常に流れ易い効果がある。
【００１２】  又、この筒状のもの（２）は、取り付けがネジによって行われているので、着脱が簡単で、外して掃除などする場合非常にやり易い効果もある。
【００１３】  以上の効果により、おもりに手など近づけた状態で、蒸気が噴出した場合でも、蒸気は下方（ふたの上面）に当たって、従来のように、直接横に噴出し危険な目に遭うことが無くなる。
【図面の簡単な説明】
【図１】  組み立てられたおもりの断面図
【図２】  筒状のものの断面図
【符号の説明】
１      おもりのつまみ部分
２      おもりの金属部分
３      筒状のもの
４      ニードル
【図１】
0003125558.tif 000003
【図２】
0003125558.tif 000004
【手続補正書】
【提出日】平成17年11月18日(2005.11.18)
【手続補正１】
【補正対象書類名】明細書
【補正の内容】
0003125558.tif 000005
0003125558.tif 000006
0003125558.tif 000007
0003125558.tif 000008
0003125558.tif 000009
0003125558.tif 000010
【手続補正書】
【提出日】平成18年2月28日(2006.2.28)
【手続補正１】
【補正対象書類名】実用新案登録請求の範囲
【補正対象項目名】全文
【補正方法】変更
【補正の内容】
【実用新案登録請求の範囲】
【請求項１】
おもりの金属部分（２）の外周と、一定の隙間を保ちながら（２）の全体を包み込み、且つ、一方が開放された筒状のもの（３）からなる圧力なべのおもり。
【請求項２】
請求項１の筒状のもの（３）の形状は、金属部分（２）の上端に固定される部分から開放された方向に向かって、円錐状に広がりを持っておる。
【手続補正２】
【補正対象書類名】明細書
【補正対象項目名】全文
【補正方法】変更
【補正の内容】
【考案の詳細な説明】
【０００１】本考案は、おもり式圧力なべの調圧装置のおもりに関するものである。
【背景技術】
【０００２】従来、おもりは調圧装置の一部で、蒸気噴出しノズルの上に、ニードルを介して乗っており、ノズルの蒸気噴出し口から噴出された蒸気により、横揺れをしたり、回転しながら圧力なべの中の圧力を一定に保っている。がしかし、回転によりなべの中の圧力を一定にする方法は、高温の蒸気が勢いよく横向き全方向に噴出し、危険を伴うことがあるにも拘わらず、現在は何の手立てもされていないのが実情である。
【考案が解決しようをする課題】
【０００３】本来、圧力なべは、省エネルギーを目的に開発された調理器具で、なべの中の圧力が規定圧力になれば、加熱源を中火以下にするようになっているが、中には、つい忘れて強火のままで使用される場合もある。この場合、おもりの横穴から、ものすごい勢いで蒸気が噴出し、かなり危険である。がしかし、もっと危険な事は、中火、弱火であっても、おもりの近くに手等を近づけた状態で、なべを少しでも動かす等の衝撃を加えると、フラッシングと言って、高温に熱せられた内容物から、一度に多量の蒸気が発生し、おもりの横穴から勢いよく噴出し火傷をする恐れがあることである。
本考案は、従来のこのような問題点を解決し、安全な使用が出来るおもりを提案しようとしている。
【課題を解決するための手段】
【０００４】射出成形又は棒状のものから、筒状のもの（３）（図２）を加工し、開放部と反対側に、おもりのつまみ部分（１）と、金属部分（２）に取り付けできる形状部分を加工する。
【考案を実施するための最良の形態】
【０００５】図２において、筒状のもの（３）は、例えば、耐熱プラスチックで金型で射出成形するか、棒状の耐熱プラスチックから切削加工によって作成し、開放部と反対側は、おもりのつまみ部分（１）とおもりの金属部分（２）に接合出来るよう加工を施す。
加工された筒状のもの（３）は、図１にあるように、おもりのつまみ部分（１）と、おもりの金属部分（２）の間に、つまみ部分（１）に埋め込まれたニードル（４）のネジにより固定される。
しかも、この筒状のものは、ネジにより固定されているので、取り外す事も簡単である。
【考案の効果】
【０００６】本考案は、上述の形状をして、おもりに取り付けられているので、次に記載する効果を奏する。
請求項１において、おもりの金属部分全体を覆っているので、噴出された蒸気、水平方向には噴出せず、必ずおもりの下方に噴出し危険度は少ない効果がある。
請求項２において、開放部に向かって裾広がりの形状を提供しているので、噴出された蒸気が下方に向かって流れる時、非常に流れ易い効果がある。
又、この筒状のもの（２）は、取り付けがネジによって行われているので、着脱が簡単で、外して掃除などする場合、非常にやり易い効果もある。
【図面の簡単な説明】
【０００７】
【図１】  組み立てられたおもりの断面図
【図２】  筒状のものの断面図
【符号の説明】
【０００８】  １        おもりのつまみ部分
２        おもりの金属部分
３        筒状のもの
４        ニードル
【手続補正３】
【補正対象書類名】図面
【補正対象項目名】全図
【補正方法】変更
【補正の内容】
【図１】
0003125558.tif 000011
【図２】
0003125558.tif 000012
【手続補正書】
【提出日】平成18年6月15日(2006.6.15)
【手続補正１】
【補正対象書類名】実用新案登録請求の範囲
【補正対象項目名】全文
【補正方法】変更
【補正の内容】
【実用新案登録請求の範囲】
【請求項１】
家庭用圧力なべのおもりは、つまみ部分（１）、とその下部に金属部分（２）、金属部分の内部上面に下方に突起したニードル部分（４）から構成され、ニードルの下端が、蒸気吹き出し口のノズルの穴にはまり込んで調圧を構成しており、噴出した蒸気は、金属部分の中央部穴の側壁を伝って下方に逃げるか、金属部分の横穴から横方向に噴出すかのいずれかであり、今回の考案は、横穴から噴出すタイプのおもりの外周に、金属部分（２）の外周と一定の隙間を保ちながら（２）の全体を包み込み、且つ、一方が開放された筒状のもの（３）をつまみ部分（１）と金属部分（２）の間に設けた家庭用圧力なべのおもり。
【請求項２】
請求項１の筒状のもの（３）の形状は、金属部分（２）の上端に固定される部分から開放された方向に向かって、円錐状に広がりを持っておる事を特徴とする家庭用圧力なべのおもり。